(57)【要約】      （修正有）【課題】玄関等に設置する介護用手摺りを安定的に固定するための固定具を提供する。【解決手段】本体２と、該本体２の内部に収納されているボルト体と、該ボルト体に螺合して上下に移動する挟持体４と、本体２の一端に設けられた支持体５と、本体２に形成されている取付部材６とからなり、前記ボルト体を回動させ、上り框の縦幅に合わせて支持体５と挟持体４とで上り框を挟持する固定具を構成する。【選択図】図８
0003166735.tif 000002
【実用新案登録請求の範囲】
【請求項１】
介護用手摺りの支柱部に取り付けるための取付部材と、上り框を挟持するための支持体を備える本体と、上り框を挟持するための挟持体と、少なくとも挟持体と螺合するボルト体を備えたことを特徴とする固定具。
【請求項２】
取付部材は介護用手摺りの支柱部に取付け、ボルト体を回動させることにより、上り框の縦幅に合わせて支持体と挟持体とで上り框を挟持することで介護用手摺りを上り框に固定することを特徴とする固定具。
【請求項３】
支柱部と手摺り部を備えた介護用手摺りを上り框近傍に設置し、請求項１又は２記載の固定具を用い、固定具の取付部材を介護用手摺りの支柱部に取付け、固定具の支持体を上り框の上面に当接し、固定具の挟持体を上り框の下面に当接し、固定具の支持体と挟持体とで上り框を挟持して介護用手摺りを上り框に固定する固定構造。
【考案の詳細な説明】
【考案の詳細な説明】
【技術分野】
【０００１】本考案は、高齢者や身体障害者など身体の不自由な方が建物内の玄関等、段差のある場所で立ち上がりや昇り降りする際、身体を支えるのに適した介護用手摺りを上り框の近傍に設置して固定するために使用する固定具、及びそれを用いて上り框に介護用手摺りを固定する固定構造を提供するものである。
【背景技術】
【０００２】玄関等の段差部には、老人や身体障害者の昇り降りを介助するために、壁に沿わせて昇降用の手摺りが配設されている。特許文献１（特許３１２１２７６号）に記載されたものは、前後一対の脚柱と手摺り本体からなり、前側の脚柱の下端は玄関床に当設され、後ろ側の脚柱の下端には断面Ｌ字形のブラケットを取り付けて該ブラケットを上り框に当設してビスで固定している玄関ホール昇降用手すりである。【０００３】また、特許文献２（特開２００９−１５５９５１号）に記載されたものは、手摺り本体の下側に床面に垂下される脚柱を有する立ち上がり部を設け、床面に載置される基板に立設支持するとともに、立ち上がり部を壁に突っ張り支持している。【０００４】
【特許文献１】特許第３１２１２７６号公報
【特許文献２】特開２００９−１５５９５１号公報
【考案が解決しようとする課題】
【０００５】特許文献１に記載されたものは、上り框にビス等で固定されるため、介護保険の住宅改修には適するが、取り外した際にビスのネジ穴が残り玄関の美観が損なわれる。
特許文献２に記載されたものは、壁に突っ張り支持する突っ張り支持部が設けられているので横倒れは防止できるが、固定されていないため前後左右に動く恐れがあり、使用者に不安が生じる。
【課題を解決するための手段】
【０００６】本考案は、従来の上記課題を解決する手段として、請求項１に記載の本考案は、介護用手摺りの支柱部に取り付けるための取付部材と、上り框を挟持するための支持体を備える本体と、上り框を挟持するための挟持体と、少なくとも挟持体と螺合するボルト体を備えたことを特徴とする固定具である。
【０００７】請求項２に記載の本考案は、取付部材は介護用手摺りの支柱部に取付け、ボルト体を回動させることにより、上り框の縦幅に合わせて支持体と挟持体とで上り框を挟持することで介護用手摺りを上り框に固定することを特徴とする固定具である。
【０００８】請求項３に記載の本考案は、支柱部と手摺り部を備えた介護用手摺りを上り框近傍に設置し、請求項１又は２記載の固定具を用い、固定具の取付部材を介護用手摺りの支柱部に取付け、固定具の支持体を上り框の上面に当接し、固定具の挟持体を上り框の下面に当接し、固定具の支持体と挟持体とで上り框を挟持して介護用手摺りを上り框に固定する固定構造である。
【０００９】請求項１又は２記載の考案によれば、少なくともボルト体と挟持体が螺合しているからボルト体を回動させると挟持体が上下に移動し、上り框の縦幅に合わせることができる。また、上り框を支持体と挟持体とでしっかりと挟持するので強固に固定することができる。更に、取付部材を介して介護用手摺りの支柱部にしっかりとネジ止めするので強固に支柱に固定される。従って、介護用手摺りは上り框にしっかりと固定することができる。ボルト体は、支持体とも螺合するようにしてもよい。
【００１０】請求項３に記載の考案によれば、固定具の取付部材を介護用手摺りの支柱部に取付け、止めネジで支柱部に固定し、固定具の支持体と挟持体とで上り框を挟持して介護用手摺りを上り框に固定することで、介護用手摺りが動かないようにしっかりと固定することができ、身体の不自由な方が昇り降りする際に介護用手摺りが上り框から離れる方向にずれることなく、倒れを防止し安全に安心して使用することができる。固定具は止めネジで介護用手摺りに固定しているため止めネジを外せば着脱でき、設置場所を容易に変えることができる。
【考案の効果】
【００１１】本考案では、固定具のボルト体を回動させる簡単な動作で、介護用手摺りが動かないようにしっかりと固定することができ、介護用手摺りの移動や倒れを防止できる。また、使用者に安心して使用してもらえると共に、上り框にネジ穴などの跡が残ることもなく美観を損ねることもない。
【考案を実施するための最良の形態】
【００１２】以下、本考案の実施形態を図面に基づき説明する。図１〜図７は、本考案に係る固定具の実施例１であり、図１は平面図、図２は正面図、図３は底面図、図４は右側面図、図５は左側面図、図６は背面図、図７は縦断面図である。【００１３】図に示すように、本考案に係る固定具１は、本体２とボルト体３と挟持体４と支持体５と取付部材６とからなり、本体２は上り框を挟持するための支持体５と介護用手摺りの支柱部に取り付けるための取付部材６とを備え、前記ボルト体３を回動させ、上り框の縦幅に合わせて前記挟持体４と前記支持体５とで上り框を挟持する。固定具１は、金属製が望ましく、なかでも鉄製が好ましい。【００１４】本体２は、本体部分が筒状の鉄製角パイプであり、一つの側面に一端側に向かって細長い切り欠き部２１が形成され、反対側の一端側に長方形状の支持体５が溶接して固定され、本体部分の上部側面に取付部材６が溶接して固定され、内部にボルト体３のボルト部３１が収納されている。本体２は、上り框を挟持するための支持体５と、介護用手摺りの支柱部に取り付けるための取付部材６とを備え一つのパーツとなっている。【００１５】ボルト体３は、外周面にネジが切られたボルト部３１とその一端に六角形状の頭部３２を備える。ボルト体３はボルト部３１が支持体５に形成されている孔５１を貫通して挟持体４のネジ穴４３と螺合している。ボルト部３１のネジは雄ネジであり、ネジ穴４３のネジは雌ネジである。【００１６】挟持体４は、２つの対向する溝を持ち、筒状の本体２の内部に切り欠き部２１を挟んでスライドする本体部分４１と、本体２の外部に形成される長方形で片状の押圧部４２とで構成されている。本体部分４１にはネジ穴４３が設けられボルト体３のボルト部３１と螺合している。ボルト体３を回動させると挟持体４は上下に移動する。【００１７】支持体５は、長方形状の鉄板であり、本体２の一端に溶接して固定されている。そしてボルト体３のボルト部３１を通す孔５１が設けられている。該孔５１は貫通孔でもよくネジ穴であってもよい。【００１８】取付部材６は、断面がＵ字形状であり、Ｕ字の一方の片面を本体２の側面に溶接して固定されている。Ｕ字の他方の片面には縦長の長孔６１が形成されている。介護用手摺り１０の支柱部１２にＵ字状の凹部を当接し、支柱部１２に固定具１を縦長の長孔６１を介して止めネジ７０を用いて固定する。【００１９】図８に示す固定具１は、本考案の実施例２であり、前記実施例１が本体２の左側に取付部材６を設けているのに対し、本体２の右側に取付部材６を設けている点で異なるが、それ以外は実施例１と同様であるから説明は省略し、前記実施例と同じ部分は同一符号を用いている。【００２０】図９、図１０は、上り框に固定具１を取り付けている状態を示す図であり、図９は上り框の縦幅が大きく挟持体４がほぼ最下位の位置まで下げている状態であり、図１０は上り框の縦幅が小さく挟持体４がほぼ中ほどの位置まで上げている状態である。ボルト体３の頭部３２を六角レンチなどを用いて回動させると挟持体４が上下に移動して、押圧部４２が上り框の下面を押圧し、上り框の上面に当接している支持体５とでしっかりと挟む。挟持体４の上下に移動するストロークは１５ｃｍから３０ｃｍが好ましい。【００２１】図１１は、使用状態を示す図であり、固定具１を用いて介護用手摺り１０を上がり框近傍に固定した状態を示す図である。基板１１の両側又は片側に支柱部１２と手摺り部１３を備えた介護用手摺り１０を、上り框近傍の床面に載置し、前記実施例で示す固定具１を用いて固定具１の取付部材６を介護用手摺り１０の支柱部１２に取付け、止めネジ７０でしっかりと固定すると共に、支持体５を上り框の上面に当接し、挟持体４を上り框の下面に当接して、ボルト体３を回動させ、固定具１の支持体５と挟持体４とで上り框を締め付けて上り框をしっかりと挟持し、介護用手摺り１０を上り框に固定する。本固定具のみでもよいが更に横方向への固定をするための突っ張り棒を用いて固定してもよい。【００２２】以上、実施例に基づき説明したが、本考案は上記実施例に限定されるものではない。また、本考案の固定具は、前記記載の特許文献１又は２に記載されているような基板のない支柱部と手摺り部を備えた手摺り単独のものにも用いることができる。
【図面の簡単な説明】
【００２３】
【図１】固定具の平面図
【図２】固定具の正面図
【図３】固定具の底面図
【図４】固定具の右側面図
【図５】固定具の左側面図
【図６】固定具の背面図
【図７】固定具の縦断面図
【図８】固定具（実施例２）の斜視図
【図９】上り框に固定具を取り付けている状態を示す図（縦幅大）
【図１０】上り框に固定具を取り付けている状態を示す図（縦幅小）
【図１１】使用状態を示す斜視図
【符号の説明】
【００２４】１        固定具
２        本体
３        ボルト体
４        挟持体
５        支持体
６        取付部材
１０      介護用手摺り
１１      基板
１２      支柱部
１３      手摺り部
２１      切り欠き部
３１      ボルト部
３２      頭部
４１      本体部分
４２      押圧部
４３      ネジ穴
５１      孔
６１      長孔
７０      止めネジ
【図１】
0003166735.tif 000003
【図２】
0003166735.tif 000004
【図３】
0003166735.tif 000005
【図４】
0003166735.tif 000006
【図５】
0003166735.tif 000007
【図６】
0003166735.tif 000008
【図７】
0003166735.tif 000009
【図８】
0003166735.tif 000010
【図９】
0003166735.tif 000011
【図１０】
0003166735.tif 000012
【図１１】
0003166735.tif 000013
【手続補正書】
【提出日】平成22年12月27日(2010.12.27)
【手続補正１】
【補正対象書類名】実用新案登録請求の範囲
【補正対象項目名】全文
【補正方法】変更
【補正の内容】
【実用新案登録請求の範囲】
【請求項１】
介護用手摺りの支柱部に取り付けるための取付部材と、上り框を挟持するための支持体を備える本体と、上り框を挟持するための挟持体と、少なくとも挟持体と螺合するボルト体を備え、本体の一端側に支持体が固定され、本体の内部に挟持体と螺合するボルト体と挟持体とが収納され、挟持体が上下に移動することを特徴とする固定具。
【請求項２】
介護用手摺りの支柱部に取付ける取付部材が本体に固定されており、本体の内部にボルト体と挟持体とが収納され、ボルト体を回動させることにより、挟持体が本体の内部をスライドして上下に移動し、上り框の縦幅に合わせて本体に固定された支持体とスライドする挟持体とで上り框を挟持することで介護用手摺りを上り框に固定することを特徴とする固定具。
【請求項３】
支柱部と手摺り部を備えた介護用手摺りを上り框近傍に設置し、請求項１又は２記載の固定具を用い、固定具の取付部材を介護用手摺りの支柱部に取付け、固定具の支持体を上り框の上面に当接し、固定具の挟持体を上り框の下面に当接し、固定具の支持体と挟持体とで上り框を挟持して介護用手摺りを上り框に固定する固定構造。
【手続補正２】
【補正対象書類名】明細書
【補正対象項目名】０００６
【補正方法】変更
【補正の内容】
【０００６】本考案は、従来の上記課題を解決する手段として、請求項１に記載の本考案は、介護用手摺りの支柱部に取り付けるための取付部材と、上り框を挟持するための支持体を備える本体と、上り框を挟持するための挟持体と、少なくとも挟持体と螺合するボルト体を備え、本体の一端側に支持体が固定され、本体の内部に挟持体と螺合するボルト体と挟持体とが収納され、挟持体が上下に移動することを特徴とする固定具である。
【手続補正３】
【補正対象書類名】明細書
【補正対象項目名】０００７
【補正方法】変更
【補正の内容】
【０００７】請求項２に記載の本考案は、介護用手摺りの支柱部に取付ける取付部材が本体に固定されており、本体の内部にボルト体と挟持体とが収納され、ボルト体を回動させることにより、挟持体が本体の内部をスライドして上下に移動し、上り框の縦幅に合わせて本体に固定された支持体とスライドする挟持体とで上り框を挟持することで介護用手摺りを上り框に固定することを特徴とする固定具である。